(57)【要約】      （修正有） 【課題】人体の頭部、頸部を支持するともに、頭部、首、肩を後方に伸ばしたり、肩や背中の筋を伸ばしたり、胸を広げたり動かしたりすることができるよう調整できる身体支持制御装置を提供する。【解決手段】本体１０と、該本体に設ける支持部材と、弾性体を内設してなり、該本体上であって、かつ該支持部材の一方の側に設ける制御袋体と、該制御袋体に空気を充填するか、又は空気を放出するための空気圧制御ユニット４０と、を含んでなる。【選択図】図１
0003208189.tif 000002
【実用新案登録請求の範囲】
【請求項１】
本体と、
該本体に設ける支持部材と、
弾性体を内設してなり、該本体上であって、かつ該支持部材の一方の側に設ける制御袋体と、
該制御袋体に空気を充填するか、又は空気を放出するための空気圧制御ユニットと、を含んでなることを特徴とする身体支持制御装置。
【請求項２】
前記本体が固定座を具え、該支持部材と該制御袋体とを該固定座に設けることを特徴とする請求項１に記載の身体支持制御装置。
【請求項３】
前記支持部材が、弾性材を内設した袋体を選択してなり、
該空気圧制御ユニットが、一端が該支持部材に連結し、かつ他端が第１抜気弁に連結する第１管体と、一端が該制御袋体に連結し、かつ他端が第２抜気弁に連結する第２管体と、を含んでなるとともに、該第１管体と該第２管体との間に空気充填用弁体と、逆止弁とを接続すること、を特徴とする請求項１に記載の身体支持制御装置。
【請求項４】
前記第１抜気弁と該第２抜気弁に、同一のハウジングを共有するように設けること、を特徴とする請求項３に記載の身体支持制御装置。
【請求項５】
前記支持部材が、弾性材を内設した袋体を選択してなり、
該空気圧制御ユニットが、一端が該支持部材に連結する第１管体と、一端が該制御袋体に連結する第２管体と、含んでなるとともに、該第１管体に第１空気充填用弁体と第１抜気弁とが接続し、該第２管体に第２空気充填用弁体と第２抜気弁と空気充填用袋体とが接続すること、を特徴とする請求項１に記載の身体支持制御装置。
【請求項６】
前記空気圧制御ユニットが、一端が該制御袋に連結する管体を含んでなり、かつ該管体に空気充填用弁体と抜気弁とが接続すること、を特徴とする請求項１に記載の身体支持制御装置。
【請求項７】
前記空気圧制御ユニットが、一端が該制御袋に連結する管体を含んでなり、かつ該管体に空気充填用弁体と抜気弁と空気充填用袋体とが接続すること、を特徴とする請求項１に記載の身体支持制御装置。
【請求項８】
前記制御袋体が該支持部材の上部側に設けられ、
該空気圧制御ユニットが、一端が該制御袋に連結する管体を含んでなり、かつ該管体に空気充填用弁体と抜気弁と空気充填用袋体とが接続すること、を特徴とする請求項１に記載の身体支持制御装置。
【考案の詳細な説明】
【技術分野】
【０００１】
この考案は、枕、もしくはマットレスの形態をなし、かつ人体を支持し、心地よい使用感を与える身体支持制御装置に関する。
【背景技術】
【０００２】
従来の頸椎保護枕、又は頸椎保護マットなるもの、もしくは従来の枕は、通常頭部などを支持するという単一の機能しかなく、例えば頭部、首、肩を後方に伸ばしたり、肩や背中の筋を伸ばしたり、胸を広げたり動かしたりするための機能は備わっていない。よって、人体の支持具として理想的だとは言えない。
【考案の概要】
【考案が解決しようとする課題】
【０００３】
この考案は、人体の頭部、頸部を支持するともに、頭部、首、肩を後方に伸ばしたり、肩や背中の筋を伸ばしたり、胸を広げたり動かしたりすることができるよう調整できる身体支持制御装置を提供することを課題とする。
【課題を解決するための手段】
【０００４】
そこで、本考案者は枕、頸椎保護枕、頸椎保護マットなどの身体支持具に見られる欠点に鑑み鋭意研究を重ねた結果、本体と、該本体に設ける支持部材と、弾性体を内設してなり、該本体上であって、かつ該支持部材の一方の側に設ける制御袋体と、該制御袋体に空気を充填するか、又は空気を放出するための空気圧制御ユニットと、を含んでなる身体支持制御装置によって課題を解決でできる点に着眼し、係る知見に基づいて本考案を完成させた。
【０００５】
以下この考案について説明する。請求項１に記載する身体支持制御装置
は、本体と、該本体に設ける支持部材と、弾性体を内設してなり、該本体上であって、かつ該支持部材の一方の側に設ける制御袋体と、該制御袋体に空気を充填するか、又は空気を放出するための空気圧制御ユニットと、を含んでなる。
【０００６】
請求項２に記載する身体支持制御装置は、請求項１における本体が固定座を具え、該支持部材と該制御袋体とを該固定座に設ける。
【０００７】
請求項３に記載する身体支持制御装置は、請求項１における支持部材が、弾性材を内設した袋体を選択してなり、
該空気圧制御ユニットが、一端が該支持部材に連結し、かつ他端が第１抜気弁に連結する第１管体と、一端が該制御袋体に連結し、かつ他端が第２抜気弁に連結する第２管体と、を含んでなるとともに、該第１管体と該第２管体との間に空気充填用弁体と、逆止弁とを接続する。
【０００８】
請求項４に記載する身体支持制御装置は、請求項３における第１抜気弁と該第２抜気弁に、同一のハウジングを共有するように設ける。
【０００９】
請求項５に記載する身体支持制御装置は、請求項１における支持部材が、弾性材を内設した袋体を選択してなり、
該空気圧制御ユニットが、一端が該支持部材に連結する第１管体と、一端が該制御袋体に連結する第２管体と、を含んでなるとともに、該第１管体に第１空気充填用弁体と第１抜気弁とが接続し、該第２管体に第２空気充填用弁体と第２抜気弁と空気充填用袋体とが接続する。
【００１０】
請求項６に記載する身体支持制御装置は、請求項１における空気圧制御ユニットが、一端が該制御袋に連結する管体を含んでなり、かつ該管体に空気充填用弁体と抜気弁とが接続する。
【００１１】
請求項７に記載する身体支持制御装置は、請求項１における空気圧制御ユニットが、一端が該制御袋に連結する管体を含んでなり、かつ該管体に空気充填用弁体と抜気弁と空気充填用袋体とが接続する。
【００１２】
請求項８に記載する身体支持制御装置は、請求項１における制御袋体が該支持部材の上部側に設けられ、
該空気圧制御ユニットが、一端が該制御袋体に連結する管体を含んでなり、かつ該管体に空気充填用弁体と抜気弁と空気充填用袋体とが接続する。
【図面の簡単な説明】
【００１３】
【図１】この考案による身体支持制御装置の外観を示した斜視図である。
【図２】図１に開示する身体支持制御装置の分解図である。
【図３】図１に開示する身体支持制御装置の断面構造を示した説明図である。
【図４】この考案による身体支持制御装置の動作を示した説明図である。
【図５】この考案による身体支持制御装置の使用態様を示した説明図である。
【図６】この考案による身体支持制御装置の使用態様を示した他の説明図である。
【図７】この考案による身体支持制御装置の使用態様を示したその他説明図である。
【図８】この考案による身体支持制御装置の使用態様を示した別の説明図である。
【図９】この考案における支持部材の状態回復の動作を示した説明図である。
【図１０】この考案における支持部材、制御袋体の空気圧調整の動作を示した説明図である。
【図１１】第２の実施の形態の断面構造を示した説明図である。
【図１２】第３の実施の形態の断面構造を示した説明図である。
【図１３】第３の実施の形態による身体支持制御装置の使用態様を示した説明図である。
【図１４】第３の実施の形態による身体支持制御装置の使用態様を示した他の説明図である。
【図１５】第３の実施の形態による身体支持制御装置の使用態様を示したその他説明図である。
【図１６】第４の実施の形態の断面構造を示した説明図である。
【図１７】第５の実施の形態の断面構造を示した説明図である。
【図１８】第５の実施の形態による身体支持制御装置の使用態様を示した説明図である。
【図１９】第５の実施の形態による身体支持制御装置の使用態様を示した他の説明図である。
【図２０】第５の実施の形態による身体支持制御装置の使用態様を示したその他説明図である。
【考案を実施するための形態】
【００１４】
この考案は、人体の頭部、頸部を支持するともに、頭部、首、肩を後方に伸ばしたり、肩や背中の筋を伸ばしたり、胸を広げたり動かしたりすることができるよう調整できる身体支持制御装置を提供するものであって、  本体と、該本体に設ける支持部材と、弾性体を内設してなり、該本体上であって、かつ該支持部材の一方の側に設ける制御袋体と、該制御袋体に空気を充填するか、又は空気を放出するための空気圧制御ユニットと、を含んでなり、身体の頭部、頸部、肩、背中上部、もしくは腰部に接触させ、支持するために用いる。係る身体支持制御装置の特徴を説明するために、具体的な実施例を挙げ、図面を参照にして以下に詳述する。
【実施例１】
【００１５】
図１、２、３に開示するように、この考案による身体支持制御装置１は、本体１０と、支持部材２０と、制御袋体３０と、空気圧制御ユニット４０とを含んでなる。
【００１６】
支持部材２０は本体１０に設け、制御袋体３０は本体１０であって、支持部材２０の一方の側に設ける。制御袋体３０は弾性体３１を内設する。
【００１７】
空気圧制御ユニット４０は制御袋体３０への気体の充填と放出を制御する。
【００１８】
実施例において、本体１０が固定座１１を具え、支持部材２０、制御袋体３０は固定在１１に固定用の凹溝を形成して、該凹溝に設けて位置決めする。
【００１９】
また、実施例において支持部材２０は、弾性材２１を内設した袋体を選択する。
【００２０】
空気圧制御ユニット４０は、第１管体４１と、第２管体４２とを含み、第１管体４１の一端は支持部材２０に連結し、第２管体４２の一端は制御袋体３０に連結するとともに、第１管体４１と第２管体４２との間には空気充填用空気充填用弁体４３と、逆止弁４４とを設ける。
【００２１】
実施例において、空気充填用空気充填用弁体４３は内部に開閉自在のバルブ口を有し、外部の空気を取り込むために用いる。即ち、外部の空気は空気充填用弁体４３と第１管体４１を通過して支持部材２０に進入する。逆止弁４４は、支持部材２０内の空気の流動を制御して単一方向にのみ流動させ、該制御袋体３０に進入させる。
【００２２】
また、第１管体４１の他端は第１抜気弁４５に接続し、第２管体４２の他端は第２抜気弁４６に接続する。実施例において、第１抜気弁４５と第２抜気弁４６とは、同一のハウジング４７を共有して設ける。
【００２３】
この考案による身体支持制御装置の構造は上述するとおりであるが、その使用態様、効果について以下に述べる。
【００２４】
図４、５、６、７、８に開示するように、使用する場合は人体の頭部、頸部、背中上部を本体１０で支持する。この場合、支持部材２０が押し圧を受けると、内部の空気が第１管体４１、空気充填用空気充填用弁体４３、逆止弁４４、第２管体４２を経由して、自動的に制御袋体３０に流れる。よって、制御袋体３０には自動的に空気が充填されて膨張する。この状態において支持部材２０が頸部を支持し、制御袋体３０に空気が充填され膨張し、高さが高くなることによって背中上部を押し上げる。よって、支持部材２０を支点とすることで仰向けになって頭部、頸部、肩を下方に伸ばすことができ、肩と背中を伸ばして胸を広げる動作を行うことができ、筋を伸ばすことができる。
【００２５】
弾性体３１は制御袋体３０に内設され、弾性によって自然に外部へ拡張する作用を有する。よって、空気充填を補助する作用が自然に発生する。
【００２６】
図９に開示するように、背中の上部が本体１０を離れると、支持部材２０は圧力から開放された弾性体２１の弾性によって元の状態に回復しようとする。よって、支持部材２０には１回分の気体吸入の力が発生し、空気充填用空気充填用弁体４３内のバルブ口が自動的に開き、外部の空気を取り込む。取り込まれた空気は空気充填用弁体４３、第１管体４１を経由して自動的に支持部材２０に進入し、支持部材２０は再度膨張して元の状態を回復する。
【００２７】
図１０に開示するように、第１抜気弁４５と第２抜気弁４６とを押下することによって、外部から装置内に取り込んだ空気を第１抜気弁４５と第２抜気弁４６とを介して支持部材２０、制御袋体３０に自在に出入りさせることができる。よって、支持部材２０、制御袋体３０に空気が充填され、膨張した際の高さと圧力を受けて低くなった際の高さとを調整することができる。特に、制御袋体３０には頸椎に接触する角度を異なる角度にすることができる。即ち、仰向けになった場合の頭部と頸部と肩との角度と、肩、背中を伸ばして胸を広げる程度を調整することできる。係る調整は使用者のニーズに合わせたカスタマイズを可能にする。
【実施例２】
【００２８】
図１１に第２の実施の形態を開示する。第２の実施の形態において空気圧制御ユニット４０は構造が異なる。支持部材２０は、弾性材２１を内設した袋体を選択する。空気圧制御ユニット４０は第１管体４８と、第２
管体４９とを含み、第１管体４８の一端は支持部材２０に連結し、第２管体４９の一端は制御袋体３０に連結する。第１管体４８には第１空気充填用弁体４８１と、第１抜気弁４８２とを接続する。第２管体４９には第２空気充填用弁体４９１と第２抜気弁４９２と、及び押し圧して空気を充填するための空気充填用袋体４９３とを接続する。
【００２９】
使用者の頸部と背中上部が本体１０から離れると、支持部材２０は圧力から開放された弾性材２１の弾性によって元の状態に回復しようとする。よって、支持部材２０には１回分の気体吸入の力が発生し、第１空気充填用弁体４８１内のバルブ口が自動的に開き、外部の空気を取り込む。取り込まれた空気は空気充填用弁体４８１、第１管体４８を経由して自動的に支持部材２０に進入し、支持部材２０は再度膨張して元の状態を回復する。この状態において第１抜気弁４８２を押し圧することによって、外部から装置内に取り込んだ空気を、第１抜気弁４８２を介して支持部材２０に自在に出入りさせることができる。よって、支持部材２０に空気が充填され、膨張した際の高さと圧力を受けた際の高さとを調整することができる。
【００３０】
また、使用者の頸部、背中上方が本体１０から離れると、制御袋体３０は内設した弾性体３１が圧力を受けなくなり、弾性によって元の状態を回復しようとする。よって、制御袋体３０に１回分の気体吸入の力が発生し、第２空気充填用弁体４９１内のバルブ口が自動的に開放され、外部の空気が第２空気充填用弁体４９１と第２管体４９を経由して制御袋体３０に自動的に進入する。よって、制御袋体３０は再度膨張して高さが高くなり、本来の状態を回復する。第２抜気弁４９２を押し圧することによって、装置内の外部から取り込んだ空気が第２抜気弁４９２を経由して自在に制御袋体３０に出入りして、制御袋体３０に空気が充填され、膨張した際の高さと圧力を受けた際の高さとを調整することができる。また、空気充填用袋体４９３を押し続けた後、手を放して開放することによって、制御袋体３０への空気充填を達成するという効果が得られる。
【実施例３】
【００３１】
図１２に、第３の実施の形態を開示する。第３の実施の形態は、支持部材２０と制御袋体３０との位置を交換してなる。空気制御ユニット４０は、管体５０を含んでなり、管体５０の一端は制御袋体３０に連結する。また、管体５０は空気充填用弁体５１と抜気弁５２に連結する。
【００３２】
第３の実施の形態において支持部材２０は袋体ではない。空気充填用弁体５１内のバルブ口が開放されると、外部の空気を取り込み、取り込んだ外部の空気は空気充填用弁体５１から制御袋体３０に進入する。
【００３３】
抜気弁５２を押下すると、内部のバルブ口が開放され、内部と外部の空気が抜気弁５２を介して制御袋体３０に自由に出入し、制御袋体３０の膨張した際の高さと圧力を受けた際の高さとを調整することができる。
【００３４】
図１２、１３、１４、１５に開示するように、支持部材２０が背中上部を支持し、制御袋体３０が頸部を支持する。手で抜気弁５２を押下すると、内部のバルブ口が開放され、制御袋体３０内の空気が放出されて高さが低くなり、背中上部を支持する支持部材２０を支点として、仰向けになった頭部、頸部肩を下方へ伸ばし、かつ背中を伸ばして胸を広げて、筋を伸ばす作用が得られる。また、制御袋体３０は、高さを異なる高さに調整し、予期する高さにすることができる。即ち、仰向けになって頭部、頸部、肩を下方に伸ばす角度と、肩を伸ばし、胸を広げる程度を調整することができる。
【００３５】
使用者の頭部、背中上部が本体１０から離れると、内設した弾性体３１が弾性によって元の状態に回復しようとする。よって、制御袋体３０には１回分の気体吸入の力が発生し、空気充填用弁体５１内のバルブ口が自動的に開き、外部の空気を取り込む。取り込まれた空気は空気充填用弁体５１、第１管体４１を経由して自動的に制御袋体３０に進入し、制御袋体３０は再度膨張して元の状態を回復する。
【実施例４】
【００３６】
図１５に第４の実施の形態を開示する。第４の実施の形態において、支持部材２０は袋体ではない。空気制御ユニット４０は、管体６０を含んでなり、管体６０の一端は制御袋体３０に連結する、管体６０には空気充填用弁体６１と、抜気弁６２と、及び押し圧して空気を充填するための空気充填用袋体６３とを接続する。
【００３７】
以上の構成により、使用者の頭部、背中上部が本体１０から離れると、内設した弾性体３１が弾性によって元の状態に回復しようとする。よって、制御袋体３０には１回分の気体吸入の力が発生し、空気充填用弁体６１内のバルブ口が自動的に開き、外部の空気を取り込む。取り込まれた空気は空気充填用弁体６１を経由して自在に制御袋体３０に出入りし、制御袋体３０に空気が充填され、膨張した際の高さと圧力を受けた際の高さとを調整することができる。また、空気充填用袋体６３を押し続けた後、手を放して開放することによって、制御袋体３０への空気充填を達成するという効果が得られる。
【実施例５】
【００３８】
図１７に第５の実施の形態を開示する。第５の実施の形態において、支持部材２０は袋体ではない。制御袋体３０は支持部材２０の上部側に設ける。空気制御ユニット４０は、管体６０を含んでなり、管体６０の一端は制御袋体３０に連結する、管体６０には空気充填用弁体６１と、抜気弁６２と、及び押し圧して空気を充填するための空気充填用袋体６３とを接続する。
【００３９】
図１７、１８、１９、２０に開示するように、使用者の腰部に第５の実施の形態による身体支持制御装置１を用い、空気充填用袋体６３を押し続けた後、手を放して開放することによって、制御袋体３０への空気を充填し、膨張させて高さを高くするという効果が得られる。腰部に接触させることで、腰部を伸ばし、筋を伸ばすという作用が得られる。
【００４０】
制御袋体３０を押し圧して高さを低くする力が開放されると、内設した弾性体３１が弾性によって元の状態に回復しようとする。よって、制御袋体３０には１回分の気体吸入の力が発生し、空気充填用弁体６１内のバルブ口が自動的に開き、外部の空気を取り込む。取り込まれた空気は空気充填用弁体６１、管体６０を経由して自動的に制御袋体３０に進入し、制御袋体３０は再度膨張して高さが高くなり、元の状態を回復する。抜気弁６２を押下することによって、外部から取り込んだ内部の空気は抜気弁６２を経由して自在に制御袋体３０に出入りし、制御袋体３０に充填して膨張させた際の高さと、押し圧を受けて空気が抜けて低くなった際の高さを調整することができる。
【符号の説明】
【００４１】
１      身体支持制御装置
１０    本体
１１    固定座
２０    支持部材
２１    弾性材
３０    制御袋体
３１    弾性体
４０    空気圧制御ユニット
４１    第１管体
４２    第２管体
４３    空気充填用弁体
４４    逆止弁
４５    第１抜気弁
４６    第２抜気弁
４７    ハウジング
４８    第１管体
４８１  第１空気充填用弁体
４８２  第２抜気弁
４９    第２管体
４９１  第２空気充填用弁体
４９２  第２抜気弁
４９３  空気充填用袋体
５０    管体
５１    空気充填用弁体
５２    抜気弁
６０    管体
６１    空気充填用弁体
６２    抜気弁
６３    空気充填用袋体
【図１】
0003208189.tif 000003
【図２】
0003208189.tif 000004
【図３】
0003208189.tif 000005
【図４】
0003208189.tif 000006
【図５】
0003208189.tif 000007
【図６】
0003208189.tif 000008
【図７】
0003208189.tif 000009
【図８】
0003208189.tif 000010
【図９】
0003208189.tif 000011
【図１０】
0003208189.tif 000012
【図１１】
0003208189.tif 000013
【図１２】
0003208189.tif 000014
【図１３】
0003208189.tif 000015
【図１４】
0003208189.tif 000016
【図１５】
0003208189.tif 000017
【図１６】
0003208189.tif 000018
【図１７】
0003208189.tif 000019
【図１８】
0003208189.tif 000020
【図１９】
0003208189.tif 000021
【図２０】
0003208189.tif 000022